(57)【特許請求の範囲】
【請求項１】
少なくともＤＮＣ機能を備えたＮＣ工作機とＤＮＣ機能を備えていないＮＣ工作機からなる複数のＮＣ工作機と、該複数のＮＣ工作機の稼働を制御する制御装置とを備え、該制御装置が、それぞれのＮＣ工作機の加工計画に対する進捗状況と稼働状態を表示する表示手段を備える加工管理用表示システムであって、
前記制御装置は、さらに前記ＮＣ工作機のＤＮＣ機能の有無を判定する第１の判定手段と各ＮＣ工作機の稼働状態に関する稼働状態データを格納する格納手段を備え、
前記表示手段は、前記第１の判定手段の判定結果を表示するとともに、前記第１の判定手段によりＮＣ工作機のＤＮＣ機能が無いと判定された場合には、そのＮＣ工作機に設けられた個別の表示装置を介して選択されたＮＣ工作機の稼働状態データまたは該稼働状態データに関するコメントを含む前記稼働状態データを表示する加工管理用表示システム。
【請求項２】
前記表示手段は、ＮＣ工作機がＤＮＣ機能を備えている場合とＮＣ工作機がＤＮＣ機能を備えていない場合とで異なる稼働状態データに基づいて前記判定結果を表示する請求項１に記載の加工管理用表示システム。
【請求項３】
前記制御装置の格納手段には、さらに加工計画データが格納されており、
前記制御装置は、さらに、それぞれのＮＣ工作機の加工計画データに基づいてそれぞれのＮＣ工作機の加工計画に対する遅れを検知する遅れ検知手段と、前記遅れ検知手段によって検知される遅れが、該ＮＣ工作機の加工工程に起因する遅れか、あるいは該ＮＣ工作機の加工工程より前の工程に起因する遅れかを判定する第２の判定手段とを備え、
前記表示手段は、前記第２の判定手段の判定結果を表示する請求項１または２に記載の加工管理用表示システム。
【請求項４】
前記第２の判定手段の判定結果を、前記表示手段の画面背景色および画面文字色の少なくともいずれか一方を変更することで表示する請求項３に記載の加工管理用表示システム。
【請求項５】
前記制御装置の格納手段には、さらに、前記ＮＣ工作機の過去の異常内容に関する異常データ、異常の際にその解消に要した仕事量データ、および過去の異常に対応した対応者に関する対応者データが少なくとも格納されており、
前記制御装置は、さらに、それぞれのＮＣ工作機の異常を検知する異常検知手段と、前記異常検知手段によって検知される現在の異常内容に関する異常データと前記格納手段に格納されたデータに基づいて、該ＮＣ工作機の現在の異常の解消に適切な呼び出し者を特定する特定手段を備え、
前記表示手段は、前記特定手段によって特定される前記呼び出し者および該呼び出し者の数の少なくともいずれか一方に応じて表示内容を変更させる表示変更機能を備えている請求項１〜４のいずれかに記載の加工管理用表示システム。
【請求項６】
前記制御装置は、さらに、前記格納手段に格納された過去の異常内容に関する異常データの中から、前記異常検知手段によって検知された前記ＮＣ工作機の現在の異常内容に関する異常データと同一内容の異常データを検索する検索手段と、現在の異常内容に関する異常データ、該検索手段によって検索された過去の異常内容に関する異常データ、およびその過去の異常の解消に要した仕事量データに基づいて、現在の異常の解消に必要な仕事量を演算する演算手段とを備え、
前記制御装置の格納手段には、さらに、現在の異常に対応可能な対応者に関する別途の対応者データが格納されており、
前記演算手段によって演算された前記仕事量、前記対応者データ、および前記別途の対応者データに基づいて、前記特定手段が前記呼び出し者を特定するようになっている請求項５に記載の加工管理用表示システム。
【請求項７】
少なくともＤＮＣ機能を備えたＮＣ工作機とＤＮＣ機能を備えていないＮＣ工作機からなる複数のＮＣ工作機と、該複数のＮＣ工作機の稼働を制御する制御装置とを備え、該制御装置が、それぞれのＮＣ工作機の加工計画に対する進捗状況と稼働状態を表示する表示手段を備え、該制御装置には各ＮＣ工作機の稼働状態に関する稼働状態データが格納されている加工管理用表示方法であって、
前記制御装置が前記ＮＣ工作機のＤＮＣ機能の有無を判定するステップと、
前記表示手段が、ＤＮＣ機能の有無に関する第１の判定結果を表示するとともに、ＮＣ工作機のＤＮＣ機能が無いと判定された場合には、そのＮＣ工作機に設けられた個別の表示装置を介して選択されたＮＣ工作機の稼働状態データまたは該稼働状態データに関するコメントを含む前記稼働状態データを表示するステップとからなる加工管理用表示方法。
【請求項８】
前記表示手段は、ＮＣ工作機がＤＮＣ機能を備えている場合とＮＣ工作機がＤＮＣ機能を備えていない場合とで異なる稼働状態データに基づいて前記第１の判定結果を表示する請求項７に記載の加工管理用表示方法。
【請求項９】
前記制御装置には、さらに加工計画データが格納されており、
前記制御装置が、それぞれのＮＣ工作機の加工計画データに基づいてそれぞれのＮＣ工作機の加工計画に対する遅れを検知するステップと、
前記制御装置によって検知される遅れが、前記ＮＣ工作機の加工工程に起因する遅れか、あるいは該ＮＣ工作機の加工工程より前の工程に起因する遅れかを判定するステップと、
前記表示手段が、加工計画に対する遅れに関する第２の判定結果を表示するステップをさらに含む請求項７または８に記載の加工管理用表示方法。
【請求項１０】
前記表示手段の画面背景色および画面文字色の少なくともいずれか一方を変更することで、前記表示手段が前記第２の判定結果を表示する請求項９に記載の加工管理用表示方法。
【請求項１１】
前記制御装置には、さらに、前記ＮＣ工作機の過去の異常内容に関する異常データ、異常の際にその解消に要した仕事量データ、および過去の異常に対応した対応者に関する対応者データが格納されており、
前記制御装置がそれぞれのＮＣ工作機の異常を検知するステップと、
前記制御装置が、検知された現在の異常内容に関する異常データと格納されたデータに基づいて、検知されたＮＣ工作機の現在の異常の解消に適切な呼び出し者を特定するステップと、
前記表示手段が、特定された前記呼び出し者および該呼び出し者の数の少なくともいずれか一方に応じて表示内容を変更するステップをさらに含む請求項７〜１０のいずれかに記載の加工管理用表示方法。
【請求項１２】
前記特定するステップが、格納された過去の異常内容に関する異常データの中から、検知されたＮＣ工作機の現在の異常内容に関する異常データと同一内容の異常データを検索するステップと、現在の異常内容に関する異常データ、検索された過去の異常内容に関する異常データ、およびその過去の異常の解消に要した仕事量データに基づいて、現在の異常の解消に必要な仕事量を演算するステップとを含み、
前記制御装置には、さらに、現在の異常に対応可能な対応者に関する別途の対応者データが格納されており、
演算された前記仕事量、前記対応者データ、および前記別途の対応者データに基づいて、前記制御装置が前記呼び出し者を特定する請求項１１に記載の加工管理用表示方法。
【発明の詳細な説明】
【技術分野】
【０００１】
本発明は、加工管理用表示システムとその表示方法に関するものである。
【背景技術】
【０００２】
エンジンのシリンダーブロックのような自動車の鋳造部品を製造するために用いられる金型はその全体形状が複雑であることから、これまでは、ＮＣ（Numerical Control）工作機によって金型を構成する複数の構成部品を個別に製造し、それら複数の構成部品を組み合わせることで金型を製作している。
【０００３】
近年、このような金型の構成部品を製造するために、複数のＮＣ工作機を複数の加工ラインに配置し、それらのＮＣ工作機の稼働状況を中央のコンピュータで一括管理する（群管理（ＤＮＣ：Direct Numerical Control））ことで、金型製作のリードタイムの短縮と製造コストの抑制が図られている。また、群管理される複数のＮＣ工作機の加工状況等の管理データは、中央コンピュータが備える表示手段を構成する画面上で同時に表示され、管理者や作業者等が複数のＮＣ工作機の加工状況を一時に確認できるようになっている。
【０００４】
上記するような群管理のためのＤＮＣ機能のほか、ブラウザ機能やＰＯＰ（Point of Production）機能をそれぞれのＮＣ工作機に組み込み、ネットワークを介してそれらのＮＣ工作機の加工情報を中央コンピュータが収集することで、中央コンピュータによって複数のＮＣ工作機を一括管理する加工情報管理システムが特許文献１に開示されている。
【０００５】
また、特許文献２には、複数のＮＣ工作機の加工状況を一括管理（群管理）するに当たり、たとえば工具位置データ、加工状態、工具状態等のそれぞれのＮＣ工作機の管理データを同一画面上で同時に表示する表示手段の構成が開示されている。
【０００６】
また、ＮＣ工作機や中央コンピュータには、一般に、ＮＣ工作機の故障や不具合等の異常を管理者や作業者等に認知させる手段が具備されており、その一例として、ＮＣ工作機や中央コンピュータに配置されたシグナルタワーを挙げることができる。このシグナルタワーには、正常運転を表示する緑のランプや異常運転を表示する赤のランプが搭載されていて、それらのランプの色を管理者や作業者が識別することでＮＣ工作機の運転状況を判別することができる。また、中央コンピュータがモニタ等の表示手段を備えている場合には、表示手段に表示されるそれぞれのＮＣ工作機の表示内容を正常運転時と異常運転時で異ならせることにより、管理者や作業者が複数のＮＣ工作機の運転状況を一時に判別することもできる。なお、ＮＣ工作機の稼働時に異常が発生した場合には、表示手段の表示内容の変更と共に、警告音を発生したり、表示手段を点滅させたりすることで、管理者や作業者等がその異常の発生をより認知し易くするのが一般的である。
【０００７】
上記の表示手段を用いて、複数の工作機械が稼働停止した場合に効果的な復旧作業の指示を行う生産監視システムの表示方法が特許文献３に開示されている。この生産監視システムの表示方法は、複数の工作機械が稼働停止した場合に、その停止要因や復旧作業時間等の条件を考慮して復旧すべき工作機械の優先順位を決定すると共に、その停止理由に応じて予め決められた色や点滅方法で生産管理表示手段に停止要因等の表示内容を表示するものである。それにより、管理者や作業者等は優先的に復旧させるべき工作機械を認識できると共に、作業者等は復旧すべき工作機械に到着する前に停止要因を認識できる。さらに、その作業者が工作機械に到着して復旧作業に入ると、生産監視システムの端末から復旧作業中であるとの情報が表示手段に発信され、それが表示手段に表示されるようになっているため、他の作業者が復旧作業中の工作機械に向かうという無駄な動作を防止できる。
【０００８】
また、たとえば工作機械等の設備に故障や不具合等の異常が発生した際に、その復旧作業に最適な人材を呼び出す設備管理方法が特許文献４に開示されている。この設備監視方法は、位置検出付き無線受信機を使用して、予め無線受信機を所有している監視者の位置を把握しておき、工作機械に異常が発生した際には、アラーム等の音声手段等によってその異常を通知すると共に監視制御手段の表示手段にその異常内容を表示する。さらに、予め監視制御手段が把握している監視者の位置や異常が発生した工作機械の場所、さらには要求させる復旧作業の種類に応じて複数の監視者のうちから最適な人材を順次呼び出すものである。
【先行技術文献】
【特許文献】
【０００９】
【特許文献１】特開平１０−１４３２３１号公報
【特許文献２】実用新案登録第３０７９９７３号公報
【特許文献３】特開２０１０−０２６７２５号公報
【特許文献４】特開２００４−２３４３２４号公報
【発明の概要】
【発明が解決しようとする課題】
【００１０】
ところで、ＮＣ工作機のような製造機械は、主として刃具を交換することで長期に亘る継続使用が可能となり、そのように長期間使用することで製造される金型等の製造コストを抑制することができる。しかしながら一般の加工ラインにおいては、いわゆる新旧のＮＣ工作機、すなわち近時のＤＮＣ機能を備えたＮＣ工作機とそのようなＤＮＣ機能を備えていないＮＣ工作機とが加工ライン上に混在している場合が多い。また、一般にＤＮＣ機能を備えたＮＣ工作機の管理データは、ＤＮＣ機能を備えていないＮＣ工作機の管理データと比較して相対的に情報量が多いことから、中央コンピュータが入手できる情報にも差異が生じていて、たとえば中央コンピュータがモニタ等の表示手段を備えていたとしても、そのままの形態では双方の管理データを同画面上に表示することができないという問題がある。
【００１１】
たとえば、ＤＮＣ機能を備えていないＮＣ工作機をＤＮＣ機能を備えたＮＣ工作機に交換し、特許文献１や特許文献２で開示されているように、ＤＮＣ機能を備えた複数のＮＣ工作機を中央コンピュータで群管理し、それら群管理されたＮＣ工作機の管理情報を同一の表示手段に同時に表示することも考えられる。しかし、そのような群管理のためのＮＣ工作機のシステム交換には多額の費用を要することから、金型等の製造コストの高騰に繋がる可能性がある。
【００１２】
また、特許文献３で開示されている生産監視システムの表示方法においては、工作機械毎の異常内容が生産管理表示手段に表示されるため、その異常が工作機械自身に起因するのか、たとえばその前段階の工程に起因するのかを判別することができず、作業者等は迅速に適切な復旧作業に着手することができない。また、生産管理表示手段に表示される表示内容の色や点滅方法に基づいて作業者自身がその復旧作業に適しているかどうかを判断することから、ある復旧作業に割り当てられた作業者がその過去の作業履歴等から判断して、その復旧作業に不適切であるといった事象が生じたり、割り当てられた作業者がその復旧作業に適しているかどうかの判断に時間がかかり、迅速に復旧作業に着手することができないといった問題が生じ、これらの問題が、迅速且つ適切に復旧作業に着手して確実に生産性を向上させるための障害となっている。さらに、復旧作業に従事するかどうかを作業者等の判断に委ねているため、必要以上の管理者や作業者がＮＣ工作機の復旧作業に携わる可能性があり、他の作業の遅れの要因ともなり得る。
【００１３】
特許文献４で開示されている設備監視方法においては、予め把握している監視者の位置や要求させる復旧作業の種類に基づいて最適な人材を順次呼び出すことができる。しかしながら、その復旧作業に複数の対応者を要する場合にも、監視制御手段から予め登録された無線受信機に順に自動発信されることから、管理者や作業者の迅速な呼び出しを行うことができず、依然として生産性の向上や金型等の製造コストの低減を図ることができない。
【００１４】
本発明は上記する課題に鑑みてなされたものであり、加工ライン上にＤＮＣ機能を備えたＮＣ工作機とＤＮＣ機能を備えていないＮＣ工作機が混在することを許容しながら、それら複数のＮＣ工作機の管理データを同画面上で表示する加工管理用表示システムとその表示方法を提供することを目的とする。また、ＮＣ工作機の加工計画に対する遅れが発生した場合には、その遅れの要因を的確に表示し、さらに、ＮＣ工作機に異常が発生した場合には、そのＮＣ工作機の異常の解消に適切な対応者を迅速に呼び出すことができる表示内容を表示することで、復旧時間の短縮と生産性の向上を図ることができ、製造コストの低減を実現することのできる加工管理用表示システムとその表示方法を提供することを目的とする。
【課題を解決するための手段】
【００１５】
前記目的を達成すべく、本発明の加工管理用表示システムは、少なくともＤＮＣ機能を備えたＮＣ工作機とＤＮＣ機能を備えていないＮＣ工作機からなる複数のＮＣ工作機と、該複数のＮＣ工作機の稼働を制御する制御装置とを備え、該制御装置が、それぞれのＮＣ工作機の加工計画に対する進捗状況と稼働状態を表示する表示手段を備える加工管理用表示システムであって、前記制御装置は、さらに前記ＮＣ工作機のＤＮＣ機能の有無を判定する第１の判定手段を備え、前記表示手段は、前記第１の判定手段の判定結果を表示するものである。
【００１６】
ここで、「ＤＮＣ機能」とは、中央の制御装置が複数のＮＣ工作機を一括して同時制御するためにそれぞれのＮＣ工作機に組み込まれる機能である。すなわち、ＮＣ工作機が当該機能を備えていることで、たとえば、制御装置がそれぞれのＮＣ工作機のＮＣプログラムを管理して分配したり、ＮＣ工作機の進捗状況によって加工計画を制御したり、それぞれのＮＣ工作機の工具の使用状況を管理したりすることができ、ＤＮＣ機能を備えていないＮＣ工作機と比較して相対的に大容量の管理データを処理して、複数のＮＣ工作機を群管理することができる。
【００１７】
上記する加工管理用表示システムによれば、ＤＮＣ機能を備えたＮＣ工作機とＤＮＣ機能を備えていないＮＣ工作機とが加工ラインに混在する場合であっても、制御手段が備える第１の判定手段によって、それら複数のＮＣ工作機の加工計画に対する進捗状況と稼働状態を、制御手段が備える表示手段を構成する画面上で同時に表示することができ、システム変更等による製造コストの高騰を抑制しながら、複数のＮＣ工作機の進捗状況と稼働状態を管理することができる。
【００１８】
さらに、前記制御装置は、データを格納する格納手段を備え、前記表示手段は、ＮＣ工作機がＤＮＣ機能を備えている場合とＮＣ工作機がＤＮＣ機能を備えていない場合とで異なる稼働状態データに基づいて前記判定結果を表示することが好ましい。
【００１９】
上記する形態によれば、ＮＣ工作機がＤＮＣ機能を備えている場合には、たとえばＤＮＣ機能を備えたＮＣ工作機を一括管理する装置を介して制御装置に入力されたＮＣ工作機の稼働状態に関する稼働状態データを判定結果として表示手段に表示できると共に、ＮＣ工作機がＤＮＣ機能を備えていない場合には、たとえば予め制御装置に入力され、格納手段に格納された稼働状態データから所望のデータを選択したり、稼働状態に関するコメント等を稼働状態データとして格納手段に格納したりすることで、それらの稼働状態データを判定結果として制御装置の表示手段に表示することができる。したがって、ＤＮＣ機能を備えたＮＣ工作機とＤＮＣ機能を備えていないＮＣ工作機とが加工ラインに混在する場合であっても、それら複数のＮＣ工作機の稼働状態を、更に詳細に表示手段に表示することができる。
【００２０】
また、本発明の加工管理用表示システムの他の実施の形態においては、前記制御装置の格納手段には、さらに加工計画データが格納されており、前記制御装置は、さらに、それぞれのＮＣ工作機の加工計画データに基づいてそれぞれのＮＣ工作機の加工計画に対する遅れを検知する遅れ検知手段と、前記遅れ検知手段によって検知される遅れが、該ＮＣ工作機の加工工程に起因する遅れか、あるいは該ＮＣ工作機の加工工程より前の工程に起因する遅れかを判定する第２の判定手段とを備え、前記表示手段は、前記第２の判定手段の判定結果を表示するものである。
【００２１】
上記する形態によれば、ＮＣ工作機の加工計画に対する遅れが発生した場合であっても、それに対応する対応者が、表示手段の表示内容によって、その遅れがＮＣ工作機の加工工程に起因しているのか、ＮＣ工作機の加工工程より前の工程に起因しているのかを判断することができ、迅速且つ適切に遅れの復旧作業に着手することができる。
【００２２】
ここで、前記第２の判定手段の判定結果を、前記表示手段の画面背景色および画面文字色の少なくともいずれか一方を変更することで表示していれば、ＮＣ工作機の加工計画に対する遅れに対応する対応者は、表示手段の表示内容から、ＮＣ工作機の加工計画に対する遅れの要因を簡便に判断することができる。
【００２３】
また、本発明の加工管理用表示システムのさらに他の実施の形態においては、前記制御装置の格納手段には、さらに、前記ＮＣ工作機の過去の異常内容に関する異常データ、異常の際にその解消に要した仕事量データ、および過去の異常に対応した対応者に関する対応者データが少なくとも格納されており、前記制御装置は、さらに、それぞれのＮＣ工作機の異常を検知する異常検知手段と、前記異常検知手段によって検知される現在の異常内容に関する異常データと前記格納手段に格納されたデータに基づいて、該ＮＣ工作機の現在の異常の解消に適切な呼び出し者を特定する特定手段を備え、前記表示手段は、前記特定手段によって特定される前記呼び出し者および該呼び出し者の数の少なくともいずれか一方に応じて表示内容を変更させる表示変更機能を備えているものである。
【００２４】
上記する形態によれば、呼び出し者や呼び出し者の数に応じて表示手段の表示内容が変更されることから、管理者や作業者等の対応者は異常が発生したＮＣ工作機に対応すべき対応者やその対応者の人数を迅速に認識することができる。また、管理者等はその表示内容に基づいて呼び出し者を呼び出すことができることから、確実に最適な呼び出し者を呼び出すことができる。さらに、その異常内容に対応する対応者が複数存在する場合には、それぞれの対応者が復旧作業に必要な対応者の人数を迅速に判断でき、自ら行うべきＮＣ工作機の復旧作業を迅速に把握できることから、迅速且つ適切にＮＣ工作機の復旧作業に着手することもできる。
【００２５】
さらに、前記制御装置は、前記格納手段に格納された過去の異常内容に関する異常データの中から、前記異常検知手段によって検知された前記ＮＣ工作機の現在の異常内容に関する異常データと同一内容の異常データを検索する検索手段と、現在の異常内容に関する異常データ、該検索手段によって検索された過去の異常内容に関する異常データ、およびその過去の異常の解消に要した仕事量データに基づいて、現在の異常の解消に必要な仕事量を演算する演算手段とを備え、前記制御装置の格納手段には、さらに、現在の異常に対応可能な対応者に関する別途の対応者データが格納されており、前記演算手段によって演算された前記仕事量、前記対応者データ、および前記別途の対応者データに基づいて、前記特定手段が前記呼び出し者を特定するようになっていることが好ましい。
【００２６】
上記する形態によれば、制御装置によって現在の異常の解消に必要な仕事量を算出できると共に、その算出された仕事量や過去の異常に対応した対応者に関する対応者データと、たとえば勤務形態や勤務時間等を考慮した現在の異常に対応可能な対応者に関する別途の対応者データに基づいて、現在のＮＣ工作機の異常の解消に最適な呼び出し者を特定することができる。なお、異常の解消に複数の対応者が必要となる場合には、現在の異常に対応可能な対応者データの中から複数の呼び出し者を特定することもできる。
【００２７】
ここで、「同一内容の異常データ」とは、たとえば、異常データが、刃具、刃具を走査させる駆動手段、金型等の対象物を載置ための冶具、加工プログラム等のカテゴリー毎に分類されていて、そのカテゴリーが同一の異常データや、ＮＣ工作機の異常に対応した対応者が同一、もしくはその対応者の少なくとも一人が同一である異常データ等、様々な形態の異常データ構成を適用することができる。
【００２８】
また、本発明の加工管理用表示方法は、少なくともＤＮＣ機能を備えたＮＣ工作機とＤＮＣ機能を備えていないＮＣ工作機からなる複数のＮＣ工作機と、該複数のＮＣ工作機の稼働を制御する制御装置とを備え、該制御装置が、それぞれのＮＣ工作機の加工計画に対する進捗状況と稼働状態を表示する表示手段を備える加工管理用表示方法であって、前記制御装置が前記ＮＣ工作機のＤＮＣ機能の有無を判定するステップと、前記表示手段が、ＤＮＣ機能の有無に関する第１の判定結果を表示するステップとからなるものである。
【００２９】
上記する加工管理用表示方法によれば、ＤＮＣ機能を備えたＮＣ工作機とＤＮＣ機能を備えていないＮＣ工作機とが加工ラインに混在する場合であっても、制御手段がそれら複数のＮＣ工作機のＤＮＣ機能の有無を判定し、制御手段が備える表示手段にその判定結果を表示することができる。たとえば、表示手段の同一画面上でＤＮＣ機能を備えたＮＣ工作機とＤＮＣ機能を備えていないＮＣ工作機の進捗状況と稼働状態を管理することができる。
【００３０】
さらに、前記制御装置にはデータが格納されており、前記表示手段は、ＮＣ工作機がＤＮＣ機能を備えている場合とＮＣ工作機がＤＮＣ機能を備えていない場合とで異なる稼働状態データに基づいて前記第１の判定結果を表示することが好ましい。
【００３１】
上記する形態によれば、ＮＣ工作機がＤＮＣ機能を備えている場合には、たとえばＤＮＣ機能を備えたＮＣ工作機を一括管理する装置を介して制御装置に入力されたＮＣ工作機の稼働状態に関する稼働状態データを判定結果として表示手段に表示できると共に、ＮＣ工作機がＤＮＣ機能を備えていない場合には、たとえば予め制御装置に入力され、格納手段に格納された稼働状態データから所望のデータを選択したり、稼働状態に関するコメント等を稼働状態データとして格納手段に格納したりすることで、それらの稼働状態データを判定結果として制御装置の表示手段に表示することができる。したがって、ＤＮＣ機能を備えたＮＣ工作機とＤＮＣ機能を備えていないＮＣ工作機とが加工ラインに混在する場合であっても、それら複数のＮＣ工作機の稼働状態を、更に詳細に表示手段に表示することができる。
【００３２】
また、本発明の加工管理用表示方法の他の実施の形態においては、前記制御装置には、さらに加工計画データが格納されており、前記制御装置が、それぞれのＮＣ工作機の加工計画データに基づいてそれぞれのＮＣ工作機の加工計画に対する遅れを検知するステップと、前記制御装置によって検知される遅れが、前記ＮＣ工作機の加工工程に起因する遅れか、あるいは該ＮＣ工作機の加工工程より前の工程に起因する遅れかを判定するステップと、前記表示手段が、加工計画に対する遅れに関する第２の判定結果を表示するステップをさらに含んでいるものである。
【００３３】
上記する方法によれば、ＮＣ工作機の加工計画に対する遅れが発生した場合に、それに対応する対応者が、表示手段に表示される第２の判定結果によって、その遅れがＮＣ工作機の加工工程に起因しているのか、ＮＣ工作機の加工工程より前の工程に起因しているのかを判断することができ、迅速且つ適切に遅れの復旧作業に着手することができる。
【００３４】
ここで、前記表示手段の画面背景色および画面文字色の少なくともいずれか一方を変更することで、前記表示手段が前記第２の判定結果を表示していれば、ＮＣ工作機の加工計画に対する遅れに対応する対応者は、表示手段の第２の判定結果から、簡便にＮＣ工作機の加工計画に対する遅れの要因を判断することができる。
【００３５】
また、本発明の加工管理用表示方法のさらに他の実施の形態においては、前記制御装置には、さらに、前記ＮＣ工作機の過去の異常内容に関する異常データ、異常の際にその解消に要した仕事量データ、および過去の異常に対応した対応者に関する対応者データが格納されており、前記制御装置がそれぞれのＮＣ工作機の異常を検知するステップと、前記制御装置が、検知された現在の異常内容に関する異常データと格納されたデータに基づいて、検知されたＮＣ工作機の現在の異常の解消に適切な呼び出し者を特定するステップと、前記表示手段が、特定された前記呼び出し者および該呼び出し者の数の少なくともいずれか一方に応じて表示内容を変更するステップをさらに含んでいるものである。
【００３６】
上記する方法によれば、制御装置によってＮＣ工作機の現在の異常の解消に適切な呼び出し者が特定され、その特定された呼び出し者や呼び出し者の数に応じて表示手段の表示内容が変更されることから、管理者や作業者等の対応者は異常が発生したＮＣ工作機に対応すべき対応者やその対応者の人数を迅速に認識できる。また、管理者等はその表示内容に基づいて呼び出し者を呼び出すことができることから、確実に最適な呼び出し者を呼び出すことができる。さらに、その異常に対応する対応者が複数存在する場合には、それぞれの対応者は復旧作業に必要な対応者の人数を迅速に判断することができ、自ら行うべきＮＣ工作機の復旧作業を迅速に把握できることから、迅速且つ適切にＮＣ工作機の復旧作業に着手することができる。
【００３７】
さらに、本発明の加工管理用表示方法においては、前記特定するステップが、格納された過去の異常内容に関する異常データの中から、検知されたＮＣ工作機の現在の異常内容に関する異常データと同一内容の異常データを検索するステップと、現在の異常内容に関する異常データ、検索された過去の異常内容に関する異常データ、およびその過去の異常の解消に要した仕事量データに基づいて、現在の異常の解消に必要な仕事量を演算するステップとを含み、前記制御装置には、さらに、現在の異常に対応可能な対応者に関する別途の対応者データが格納されており、演算された前記仕事量、前記対応者データ、および前記別途の対応者データに基づいて、前記制御装置が前記呼び出し者を特定することが好ましい。
【００３８】
上記する方法によれば、制御装置によって現在の異常の解消に必要な仕事量を算出すると共に、その算出された仕事量や過去の異常に対応した対応者に関する対応者データと、たとえば勤務形態や勤務時間等を考慮した現在の異常に対応可能な対応者に関する別途の対応者データに基づいて、現在のＮＣ工作機の異常の解消に最適な呼び出し者を特定することができる。
【発明の効果】
【００３９】
以上の説明から理解できるように、本発明の加工管理用表示システムとその表示方法によれば、ＤＮＣ機能を備えたＮＣ工作機とＤＮＣ機能を備えていないＮＣ工作機とが加工ラインに混在することを許容しながら、制御手段が備える表示手段の同画面上に、機能の異なる複数のＮＣ工作機の加工計画に対する進捗状況と稼働状態を表示することができる。また、ＮＣ工作機の加工計画に対する遅れが発生した場合には、その遅れがＮＣ工作機の加工工程に起因するのか、あるいはＮＣ工作機の加工工程より前の工程に起因するのか制御手段が判定し、その判定結果を表示手段に表示することで、復旧時間の短縮を図ることができる。また、ＮＣ工作機に異常が発生した場合には、異常の対応に最適な呼び出し者を特定し、その特定された呼び出し者や呼び出し者の数に応じて表示手段の表示内容を変更することで、管理者等による迅速且つ確実な対応者の呼び出しが可能となり、ＮＣ工作機の復旧時間を短縮して、金型等の生産性を格段に向上させることができる。
【図面の簡単な説明】
【００４０】
【図１】本発明の加工管理用表示システムの実施の形態１を説明する概略図である。
【図２】作業の仕掛けを入力するための作業仕掛画面である。
【図３】実施の形態１による、ＤＮＣ機能の有無に関する判定結果を表示する方法の一実施の形態を説明するフロー図である。
【図４】実施の形態１による、ＤＮＣ機能の有無に関する判定結果を表示する方法の他の実施の形態を説明するフロー図である。
【図５】本発明の加工管理用表示システムの実施の形態２を説明する概略図である。
【図６】本発明の加工管理用表示システムの実施の形態３を説明する概略図である。
【図７】本発明の加工管理用表示システムを構成する表示手段の画面の一実施の形態である。
【図８】所定の加工ラインの管理データを表示させるための入力画面である。
【図９】単数の対応者を呼び出すための呼び出し者選定画面である。
【図１０】（ａ）は、単数および複数の対応者を呼び出すための呼び出し者選定画面、（ｂ）は、複数呼び出しボタンが押圧された際に呼び出し者を選択するための呼び出し者一覧画面である。
【図１１】複数の対応者を呼び出すための呼び出し者選定画面である。
【図１２】呼び出し者の数に応じて異なる呼び出し者選定画面を表示する方法を説明するフロー図である。
【発明を実施するための形態】
【００４１】
以下、図面を参照して本発明の実施の形態を説明する。
【００４２】
［実施の形態１］
図１は、本発明の加工管理用表示システムの実施の形態１を説明する概略図である。図示する加工管理用表示システム１００を構成するＮＣ工作機や表示手段の基数は、製造する金型や加工ラインの本数等によって適宜変更可能である。また、図示する加工管理用表示システム１００に対し、たとえば金型の製作日程やスケジュールを管理するための生産計画サブシステム、部品や外注加工の発注や調達を管理するための調達サブシステム、作業工数を含めた金型製作コストを管理するための経営管理サブシステム等を含めることもできる。
【００４３】
図１で示す加工管理用表示システム１００は、表示手段２０を備えた制御装置１０と、ＤＮＣ機能３１，３１'，…を備えたＮＣ工作機３０，３０'，…からなる複数のＮＣ工作機と、ＤＮＣ機能を備えていないＮＣ工作機５０，５０'，…からなる複数のＮＣ工作機とから大略構成されており、ＮＣ工作機３０，３０'，５０，５０'，…の進捗状況や稼働状態等の管理データが制御装置１０に送信され、その管理データが表示手段２０に表示されるようになっている。なお、制御装置１０には、ＮＣ工作機３０，３０'，５０，５０'，…の進捗状況や稼働状態等の管理データを格納するためのデータ格納手段（不図示）が備えられている。
【００４４】
ここで、ＤＮＣ機能３１，３１'，…を備えたＮＣ工作機３０，３０'，…はそれぞれＤＮＣ手段３２に接続されていて、ＤＮＣ手段３２を介して収集したＮＣ工作機３０，３０'，…の管理データが制御装置１０に送信される。また、制御装置１０のデータがそれぞれのＮＣ工作機３０，３０'，…に送信され、ＮＣ工作機３０，３０'，…同士の管理データが相互のＮＣ工作機３０，３０'，…で送受信されることで、ＤＮＣ機能３１，３１'，…を備えたＮＣ工作機３０，３０'，…が一括管理されるようになっている。また、ＤＮＣ手段３２がＣＡＤやＣＡＭ（不図示）と接続されていれば、金型等の設計データをＤＮＣ手段３２を介してそれぞれのＮＣ工作機３０，３０'，…に一括送信することもできる。
【００４５】
制御装置１０が備える表示手段２０は、加工ラインに配置された複数のＮＣ工作機３０，３０'，５０，５０'，…の進捗状況や稼働状態等の管理データを同一画面上で表示するものであり、たとえば、工程管理者や作業責任者等の詰め所、作業者全員が視認できる工場内のメイン通路脇やその頭上、加工ライン毎の頭上等に配置され、ＮＣ工作機に遅れや異常が発生した際に迅速に対応できるようになっている。
【００４６】
なお、図示するように、それぞれのＮＣ工作機３０，３０'，５０，５０'，…が、ＮＣ工作機の稼働状態等を個別に確認できる表示手段４０，４０'，６０，６０'，…を備えていてもよい。それぞれのＮＣ工作機３０，３０'，５０，５０'，…が個別の表示手段４０，４０'，６０，６０'，…を備えていれば、たとえば、ＮＣ工作機の異常等に対応する作業者がＮＣ工作機の異常の解消に更なる対応者が必要であると判断した場合にも、表示手段４０'，４０，６０，６０'，…を用いて、それぞれのＮＣ工作機の位置で迅速に適切な対応者を呼び出すことができる。
【００４７】
また、図示する実施の形態における制御装置１０は、ＮＣ工作機の管理データを効率的に収集できるＰＯＰ手段１１を備えている。その一方で、ＮＣ工作機の管理データを直接データ格納手段（不図示）等に送信することもできる。なお、ＰＯＰ手段１１を実績収集サブシステム、制御装置１０のその他の構成を進捗管理サブシステムと称することができる。
【００４８】
なお、図示を省略するが、ＰＯＰ手段１１や後述する各種手段の制御はＣＰＵやＭＰＵ等で実行される。また、制御装置に入力される情報はＲＯＭ等の記憶媒体に記憶することもできる。
【００４９】
図示する制御装置１０は第１の判定手段１３を備えており、制御装置１０に送信されたＮＣ工作機の管理データは、ＰＯＰ手段１１を介して第１の判定手段１３に送信される。第１の判定手段１３では、その管理データに基づいて、たとえばデータベースにおいて設定されたＤＮＣ連携フラグによって、加工ライン選択時やＮＣ工作機選択時に、それぞれのＮＣ工作機のＤＮＣ機能の有無を判定する。そして、表示手段２０では、たとえば、表示手段２０の稼働状態の行（図７参照）の記載や画面背景色を、ＤＮＣ機能を備えるＮＣ工作機とＤＮＣ機能を備えていないＮＣ工作機で異なる表示とすることで、その判定結果を表示する。このように表示手段２０に判定結果が表示されることで、表示手段２０の画面上で異なる機能を備えたＮＣ工作機を一括管理できると共に、管理者や作業者等がその表示内容からそれぞれＮＣ工作機のＤＮＣ機能の有無を一時に判別することができる。なお、第１の判定手段１３では、データベースにおけるＤＮＣ連携フラグ設定に代えて、ＮＣ工作機３０，３０'，５０，５０'，…やＤＮＣ手段３２に信号の送受信機能を設定し、送信信号に対する応答の有無によってＮＣ工作機のＤＮＣ機能の有無を判定することもできる。
【００５０】
図２及び図３を参照して、実施の形態１の具体的な表示手段への判定結果の表示方法について説明する。図２は、たとえばＮＣ工作機の稼働開始時やＮＣ工作機に異常が発生した際に、作業者等がＮＣ工作機に到着し、ＮＣ工作機３０，３０'，５０，５０'，…が備える個別の表示手段４０，４０'，６０，６０'，…の表示画面内の所定のボタン（たとえば「作業者着完ボタン」）を押すことで、その個別の表示手段４０，４０'，６０，６０'，…に表示される作業仕掛画面４１の一例である。これにより、各ＮＣ工作機の作業仕掛けの情報や稼働状態等を入力することができる。なお、同様の画面を表示手段２０に表示し、その表示手段２０を使用して同様の処理を実施することもできる。また、情報の入力については、たとえばキーボード等の他の情報入力手段を用いて行われる形態や、表示手段４０，４０'，６０，６０'，…が、たとえばタッチパネル等の、情報を表示する機能と情報を入力する機能を兼ね備えていて、当該表示手段から直接行われる形態等、様々な形態を適用することができる。
【００５１】
既述するように、各ＮＣ工作機３０，３０'，５０，５０'，…が備える表示手段４０，４０'，６０，６０'，…には、各種の情報入力用の表示画面（不図示）が表示されており、その画面内の所定のボタンを押すことで、図２で示す作業仕掛け情報や稼働状態等を入力できる作業仕掛画面４１が表示される。図３で示すように、制御装置１０では、まず、その作業仕掛画面４１の作業仕掛ボタン４１１が押されたか否かを判定する（ＳＴＥＰ３０）。ここで、作業仕掛ボタン４１１が押されていない場合には処理を終了し、表示手段２０や表示手段４０，４０'，６０，６０'，…には作業仕掛けの情報は表示されない。
【００５２】
作業仕掛ボタン４１１が押されていると判定した（ＳＴＥＰ３０）場合には、第１の判定手段１３（図１参照）で、たとえばデータベースにおいて設定されたＤＮＣ連携フラグやＮＣ加工機等への信号の送信に対すると応答によって、ＮＣ工作機のＤＮＣ機能の有無を判定する（ＳＴＥＰ３１）。ここで、ＤＮＣ機能が無いと判定した場合には、表示手段２０や表示手段４０，４０'，６０，６０'，…にはＤＮＣ機能の有無の情報を表示しない（ＳＴＥＰ３３）。それによって、管理者等は、各ＮＣ工作機のＤＮＣ機能の有無を判別することができる。なお、ＤＮＣ機能が無いと判定された場合にも、たとえば、「ＤＮＣ機能無し」等の文字表記等を、表示手段２０の稼働状態の行や表示手段４０，４０'，６０，６０'，…のそのＮＣ工作機に対応する箇所に表示することもできる。
【００５３】
また、第１の判定手段１３で、ＮＣ工作機のＤＮＣ機能が有ると判定した（ＳＴＥＰ３１）場合には、たとえば「ＤＮＣ機能有り」等の文字表記等を表示手段２０や表示手段４０，４０'，６０，６０'，…に表示する（ＳＴＥＰ３２）。なお、文字表記に代えて、表示手段２０の稼働状態の行の背景色を変更することで、ＤＮＣ機能の有無に関する判定結果を表示手段に表示することもできる。
【００５４】
次いで、図４を参照して、実施の形態１の更に好ましい表示手段への判定結果の表示方法について説明する。
【００５５】
まず、制御装置１０では、図３で示す処理と同様に、作業仕掛ボタン４１１が押されているか否かを判定し（ＳＴＥＰ４０）、その作業仕掛ボタン４１１が押されている場合には、第１の判定手段１３（図１参照）で、ＮＣ工作機のＤＮＣ機能の有無を判定する（ＳＴＥＰ４１）。ここで、ＤＮＣ機能が有ると判定した場合には、ＤＮＣ機能を備えたＮＣ工作機３０，３０'，…やＤＮＣ手段３２からの稼働状態データに基づいて、それらの詳細な稼働状態に関する情報を表示手段２０の稼働状態の行や表示手段４０，４０'，６０，６０'，…のそのＮＣ工作機に対応した箇所に表示する（ＳＴＥＰ４２）。この稼働状態に関する情報としては、たとえば「ＤＮＣ運転／運転外」、「電源自体のＯＮ／ＯＦＦ」、「オペ停止／異常停止／一時停止／完全停止」等の停止の種別分け等の情報を挙げることができ、これらの情報が、予めＮＣ工作機３０，３０'，…やＤＮＣ手段３２、制御装置１０等に格納されている。また、これらの情報は、ＤＮＣ機能が有ると判定した場合に、ＤＮＣ機能を備えたＮＣ工作機３０，３０'，…やＤＮＣ手段３２から制御装置１０に入力される形態や、予めＤＮＣ機能を備えたＮＣ工作機３０，３０'，…やＤＮＣ手段３２から制御装置１０に適宜入力され、ＤＮＣ機能が有ると判定した場合に、制御装置１０が格納手段等（不図示）に格納されたそれらの情報を読み込んで表示する形態等を適用することができる。
【００５６】
また、第１の判定手段１３で、ＮＣ工作機のＤＮＣ機能が無いと判定された（ＳＴＥＰ４１）場合には、その判定結果に基づく情報を表示手段２０や表示手段４０，４０'，６０，６０'，…に表示することとなる。すなわち、制御装置１０では、図２で示す稼働仕掛画面４１の稼働状態選択ボタン４１２のうちのいずれかが選択されているか否かを判定する（ＳＴＥＰ４３）。仮に、いずれのボタンも選択されていないと判定した場合には、表示手段２０の稼働状態の行や表示手段４０，４０'，６０，６０'，…の対応する箇所に、たとえば「加工中」等の文字表記を表示する（ＳＴＥＰ４７）。また、稼働状態選択ボタン４１２のうち、いずれかのボタンが選択されていると判定した（ＳＴＥＰ４３）場合には、その選択されたボタンに対応する稼働状態の情報を表示手段２０や表示手段４０，４０'，６０，６０'，…の対応する箇所に表示する（ＳＴＥＰ４４）。さらに、制御装置１０では、そのＳＴＥＰ４４で表示される稼働状態の情報についての更に詳細な情報のコメントが入力されているか否かを判定し（ＳＴＥＰ４５）、コメント入力が有ると判定した場合には、上記稼働状態の情報と共に、そのコメントも表示手段２０の稼働状態の行（図７参照）や表示手段４０，４０'，６０，６０'，…の対応する箇所に表示する（ＳＴＥＰ４６）。なお、コメント入力については、キーボード等の別途の情報入力手段を用いて行われる形態や、表示手段のタッチパネルを用いて行われる形態等、種々の形態を適用することができる。
【００５７】
このように、第１の判定手段１３でＤＮＣ機能が無いと判定された場合には、予め設定された稼働状況選択ボタン４１２から稼働状態を選択したり、コメントを入力して格納したりすることで、それらの稼働状態データを制御装置１０の表示手段２０に表示することができる。すなわち、ＮＣ工作機がＤＮＣ機能を備えている場合とＮＣ工作機がＤＮＣ機能を備えていない場合とで、たとえば異なる入力手段で入力され、あるいは異なる選択方法で選択された異なる形態の稼働状態データを表示手段２０や表示手段４０，４０'，６０，６０'，…に表示することができ、したがって、ＤＮＣ機能を備えたＮＣ工作機からの各種詳細情報を表示手段に表示できると共に、ＤＮＣ機能を備えていないＮＣ工作機が存在する場合にも、そのＮＣ工作機の稼働状態等に関する詳細情報を表示手段２０や表示手段４０，４０'，６０，６０'，…に表示することができる。
【００５８】
［実施の形態２］
図５は、本発明の加工管理用表示システムの実施の形態２を説明する概略図である。なお、後述する遅れ検知手段１４Ａによって検知されるＮＣ工作機の加工計画に対する遅れの要因としては、ＮＣ工作機の刃具の走査遅れ、刃具交換等の追加工程による加工計画に対する遅れ、ＮＣ工作機毎の金型の移動時間の遅れ等を挙げることができる。以下、特に実施の形態１と異なる構成について説明する。
【００５９】
図示する制御装置１０Ａは、データ格納手段１２Ａと遅れ検知手段１４Ａと第２の判定手段１５Ａを備えており、データ格納手段１２ＡにはそれぞれのＮＣ工作機の加工計画データが格納されている。遅れ検知手段１４Ａでは、制御装置１０Ａに送信されたＮＣ工作機の管理データとデータ格納手段１２Ａに格納された加工計画データを比較し、特定のＮＣ工作機について加工計画に対する遅れが検知された場合には、その情報を第２の判定手段１５Ａに送信する。第２の判定手段１５Ａでは、その特定のＮＣ工作機についての遅れが、そのＮＣ工作機の加工工程に起因するのか、あるいはそのＮＣ工作機の加工工程より前の工程に起因するのかを判定する。そして、表示手段２０Ａでは、たとえば、ＮＣ工作機の遅れの要因に応じて、表示画面の進捗状況や仕掛予定日時の行（図７参照）の画面背景色や画面文字色を変更して表示することで、その判定結果を表示する。このように判定結果が表示手段２０Ａに表示されることで、ＮＣ工作機の加工計画に対する遅れに対応する対応者は、迅速且つ簡便に遅れの要因を判断できる。すなわち、その遅れがＮＣ工作機の加工工程に起因すると判定された場合には、対応者は、たとえば加工プログラムや加工ステップ、工具交換等を含む加工速度等の変更を行い、その遅れがＮＣ工作機の加工工程より前の工程に起因すると判定された場合には、対応者は、ＮＣ工作機の割付、別金型や別部品とのスケジュール調整等を行うことができる。
【００６０】
ここで、表示手段２０Ａの画面背景色や画面文字色の変更として、たとえば、ＮＣ工作機の加工計画に対する遅れが発生している場合には画面文字色のみを変更し、その遅れが前工程に起因する場合には、さらに画面背景色をそれぞれ変更する等、ＮＣ工作機の加工計画に対する遅れを画面背景色や画面文字色の組み合わせで表現することもできる。それにより、対応者がより簡便に遅れの要因を判別することができ、迅速にＮＣ工作機の復旧作業に着手して、金型等の生産性の更なる向上を図ることができる。
【００６１】
さらに、制御装置１０Ａのデータベースに遅れ発生の理由のデータテーブルや字体／フォント／外国語のデータテーブルを設定し、ＮＣ工作機３０Ａ，３０Ａ'，５０Ａ，５０Ａ'，…やＤＮＣ手段３２Ａから受信した異常内容毎の異なる信号とそれらを関連付けることで、たとえば工具破損、工作機の故障、段取りミス等の詳細な遅れ発生の要因毎に字体／フォント／表示言語を変更することもできる。これにより、たとえば使用言語の異なる対応者が対応する場合にも、より迅速に遅れ発生の要因等を認識することができ、復旧時間の短縮を図ることができる。
【００６２】
［実施の形態３］
図６は、本発明の加工管理用表示システムの実施の形態３を説明する概略図である。以下、特に実施の形態１，２と異なる構成について説明する。
【００６３】
図示する制御装置１０Ｂのデータ格納手段１２Ｂには、実施の形態２のデータ格納手段１２Ａに格納されたデータのほか、さらにＮＣ工作機の過去の異常内容に関する異常データ、異常の際にその解消に要した仕事量データ、過去の異常に対応した対応者に関する対応者データが格納されている。そして、制御装置１０Ｂは、それぞれのＮＣ工作機の異常を検知する異常検知手段１６Ｂと、異常検知手段１６Ｂによって検知される現在の異常内容に関する異常データとデータ格納手段１２Ｂに格納されたデータに基づいて、ＮＣ工作機の現在の異常の解消に適切な呼び出し者を特定する特定手段１７Ｂとを備えている。また、表示手段２０Ｂは、特定手段１７Ｂによって特定される呼び出し者や呼び出し者の数に応じて表示内容を変更させる表示変更機能を備えている。
【００６４】
特定手段１７Ｂによって特定される呼び出し者や呼び出し者の数に応じて、表示手段２０Ｂに表示される表示内容や後述する呼び出し選択画面等の表示内容が変更されることで、ＮＣ工作機の異常に対応する管理者や作業者等の対応者は、適切な対応者やその人数を迅速に把握することができる。また、管理者等が、呼び出し者や呼び出し者の数に応じて変更された表示内容に基づいて呼び出し者を呼び出すことができることから、確実に最適な人数の呼び出し者を呼び出すこともできる。また、対応者が複数存在する場合には、その表示内容からそれぞれの対応者が自ら行うべき作業内容を迅速に認識することもできることから、迅速に適切な復旧作業に着手することができ、更なる復旧時間の短縮を図ることができる。
【００６５】
さらに、制御装置１０Ｂは検索手段１８Ｂと演算手段１９Ｂを備えている。検索手段１８Ｂでは、データ格納手段１２Ｂに格納された過去の異常内容に関する異常データの中から、異常検知手段１６Ｂによって検知されたＮＣ工作機の現在の異常内容に関する異常データと同一内容の異常データを検索し、演算手段１９Ｂでは、現在の異常内容に関する異常データ、検索手段１８Ｂによって検索された過去の異常内容に関する異常データ、その過去の異常の解消に要した仕事量データに基づいて、現在の異常の解消に必要な仕事量を演算する。なお、演算手段１９Ｂに入力されるデータは、データ格納手段１２Ｂから直接演算手段１９Ｂに入力される形態や検索手段１８Ｂで使用されたデータが演算手段１９Ｂに入力される形態等を適用できる。そして、演算手段１９Ｂによって演算された仕事量、データ格納手段１２Ｂに格納された対応者データ、現在の異常に対応可能な対応者に関する対応者データが特定手段１７Ｂに送信され、その情報が表示手段２０Ｂの表示内容に反映される。ここで、現在の異常に対応可能な対応者に関する対応者データには、たとえば対応者の勤務形態や勤務時間等のデータが含まれていることから、勤務時間から算出した対応者の対応可能時間等を考慮しながら適切な呼び出し者を特定することもできる。
【００６６】
次に、図７を参照して、本発明の実施の形態１〜３の加工管理用表示システム１００，１００Ａ，１００Ｂを構成する表示手段２０，２０Ａ，２０Ｂの表示画面２１の一実施の形態について説明する。同図横軸は同一の加工ラインに配置されたＮＣ工作機、同図縦軸はそれぞれのＮＣ工作機の稼働状態や進捗状況等の現在仕掛けのデータ、仕掛け予定等の次仕掛けのデータ、オペレータや作業責任者への呼び出し状況等を示している。
【００６７】
図７で示す表示画面２１の上段の行２１１には、たとえば図１で示すＮＣ工作機３０，３０'，５０，５０'，…のようなＤＮＣ機能を備えたＮＣ工作機とＤＮＣ機能を備えていないＮＣ工作機が混在して表示されている。図１を参照して説明したように、第１の判定手段１３によってそれぞれのＮＣ工作機のＤＮＣ機能の有無が判定されると、その判定結果が稼動状態の行２１２に表示されることとなる。たとえば、図示するように稼動状態の行２１２を上下に分割し、その一方にＤＮＣ機能の有無を文字によって表記することができる。さらに、図４で示すＳＴＥＰ４６でコメントが入力されている場合には、この行２１２の下段にそのコメントを表示することで、管理者等がＮＣ工作機の詳細な稼働状態を判別することができる。また、ＤＮＣ機能を備えたＮＣ工作機に対応する行２１２の画面表示色を所定の色で配色して表示することもできる。
【００６８】
なお、図示する表示画面２１の行２１１の所望のＮＣ工作機に対応する箇所を指定することで、たとえば図１における表示手段４０，４０'，６０，６０'，…のような各ＮＣ工作機の個別の表示手段に表示されている画面を表示手段２０に表示し、この表示手段２０を用いて、既述するような、各ＮＣ工作機に対する作業仕掛けの情報や稼働状態等の情報を入力することもできる。
【００６９】
また、図５を参照して説明したように、第２の判定手段１５Ａによって判定されたそれぞれのＮＣ工作機の加工計画に対する遅れのデータは、たとえば現在仕掛けの加工進捗状況の行２１３や次仕掛けの仕掛け予定の行２１６に表示される。すなわち、ＮＣ工作機の加工計画に対する遅れが発生すると、加工進捗状況の行２１３では実際の遅れの時間が表示されると共に、仕掛け予定の行２１６では、現在の時間より前の既に完了しているべき仕掛け予定が表示される。その際、加工計画に対する遅れが発生したＮＣ工作機に対応する加工進捗状況の行２１３や仕掛け予定の行２１６の文字色や背景色を、その遅れの要因に応じて変更して表示することができる。
【００７０】
また、図６を参照して説明したように、特定手段１７Ｂによって呼び出し者が特定されると、その情報が呼出の行２１５や下段の呼出中の欄２１７に表示される。なお、下部の呼出中の欄２１７に呼び出し者が表示されることで、たとえば画面を横方向にスクロールし、呼び出し中のＮＣ工作機が非表示となったとしても、下段の呼出中の欄２１７には呼び出し者が表示されている。それにより、管理者や作業者等は呼び出し者を常時認識することができ、確実に呼び出し者をＮＣ工作機に呼び出すことができる。また、呼び出し者が複数存在する場合には、それら複数の呼び出し者が呼出の行２１５や呼出中の欄２１７に表示されることとなる。さらに、実際に呼び出し者が介入して復旧作業に着手すると、その情報がオペ介入の行２１４に表示されることとなる。
【００７１】
ここで、図７で示すＡラインのＮＣ工作機とは異なる加工ラインのＮＣ工作機を表示手段に表示させる場合には、ライン切替２１０を用いることができる。すなわち、ライン切替２１０を押圧することで、図８で示す入力画面２２が表示され、そのライン欄２２１で所望の加工ラインを選択することで、表示手段の表示を変更して所望の加工ラインのＮＣ工作機の管理データを表示することができる。また、ＮＣ工作機の稼働開始時には、初期画面として図８で示す入力画面２２を表示させ、所望の加工ラインを選択することで、ＮＣ工作機の稼働開始時に所望の加工ラインの管理データを表示手段に表示させることもできる。
【００７２】
また、加工ラインに配置されるＮＣ工作機の数が多いために表示手段の一画面上で全てのＮＣ工作機の管理データを表示することができない場合には、表示手段の表示画面を所定時間毎にページ単位で横スライド等させることで、所望の時間の間に全てのＮＣ工作機の管理データを表示させることもできる。また、所定時間毎に最新の管理データをＮＣ工作機から取得し、それを表示手段の表示内容に反映することで、表示画面の管理データの更新を行うこともできる。
【００７３】
次に、図９〜図１１を参照して、図６で示す実施の形態３における対応者を呼び出すための呼び出し者選定画面について説明する。図９は、単数の対応者を呼び出すための呼び出し者選定画面（単独者表示）、図１０ａは、単数および複数の対応者を呼び出すための呼び出し者選定画面（標準表示）、図１０ｂは、図１０ａの複数呼び出しボタンが押圧された際に呼び出し者を選択するための呼び出し者一覧画面、図１１は、複数の対応者を呼び出すための呼び出し者選定画面（複数者表示）である。なお、図９〜図１１で示す呼び出し選択画面は、異常検知手段１６ＢによってＮＣ工作機の異常が検知され、特定手段１７Ｂによってその異常に対応する呼び出し者が特定された場合に、自動的に表示手段２０Ｂや表示手段４０Ｂ，４０Ｂ'，６０Ｂ，６０Ｂ'，…に表示される形態や、たとえばＮＣ工作機に個別に設置された表示手段４０Ｂ，４０Ｂ'，６０Ｂ，６０Ｂ'，…に表示される臨時呼び出しボタン（不図示）を管理者等が押圧することで、表示手段２０Ｂや表示手段４０Ｂ，４０Ｂ'，６０Ｂ，６０Ｂ'，…に表示される形態等、様々な形態を適用することができる。また、呼び出し選択画面に表示される呼び出し者（対応者）のデータは、たとえばキーボードを用いて入力したり、勤怠管理システムと関連付けたりすることで、予め制御装置１０Ｂに登録してデータ格納手段１２Ｂに格納することができる。
【００７４】
図６で示す特定手段１７Ｂによって単数の呼び出し者が特定された場合には、図９で示す呼び出し者選定画面２３を表示することができる。この呼び出し者選定画面２３が表示され、管理者等によって呼び出し画面表示２３の呼び出し者ボタン２３１が押されると、呼び出し者の情報が表示手段２０Ｂの呼出の行２１５や呼出中の欄２１７に表示され、対応者はその表示内容に応じてＮＣ工作機の復旧作業に着手することができる。そして、対応者によるＮＣ工作機の復旧作業が完了し、対応者等が呼び出し解除ボタン２３２を押すことで、呼び出し者選定画面２３の表示が非表示となると共に、表示手段２０Ｂの呼び出し者の表示も非表示となる。
【００７５】
なお、より明確に管理者等にＮＣ工作機の異常を認知させるために、呼び出し者選定画面２３の表示と共に、音声や警報、携帯端末（電話等）を用いて対応可能な対応者にＮＣ工作機の異常を認識させてもよい。
【００７６】
また、図６で示す特定手段１７Ｂによって複数の呼び出し者が特定された場合には、図１０ａで示す呼び出し者選定画面２４を表示することができる。図９で示す呼び出し者選定画面２３に対して、図１０ａで示す呼び出し者選定画面２４は、呼び出し者ボタン２４１に複数呼び出しボタン２４１'を追加したものである。なお、図１０ａで示す呼び出し者選定画面２４は、図６で示す特定手段１７Ｂによって単数の呼び出し者が特定された場合にも使用することができ、この呼び出し者選定画面２４を本システムにおける標準的な仕様として使用することができる。
【００７７】
図示する呼び出し者選定画面２４の複数呼び出しボタン２４１'を管理者等が押すことで、図１０ｂで示す呼び出し者を選択するため呼び出し者一覧画面２５が表示される。そして、その呼び出し者一覧画面２５から呼び出し者を選択すると、その呼び出し者の情報が表示手段２０Ｂの呼出の行２１５や呼出中の欄２１７に表示され、対応者はその表示内容に応じてＮＣ工作機の復旧作業に着手することができる。なお、呼び出し者一覧画面２５中のＡペアボタン２５１については、たとえば「新人＋指導／教育者のペア」等、予め制御装置１０等に設定しておくことで、個人名を表示させることもできる。また、たとえば図６で示す演算手段１９Ｂによって最適な呼び出し者やその人数を算出された場合に、その演算結果に基づいて、たとえば、呼び出し者一覧画面２５の押圧可能なボタンを特定したり、その異常の対応に必要な人数を呼び出し者一覧画面２５に表示し、その人数が選択されるまで呼び出し者一覧画面２５を継続して表示したりすることもできる。そして、対応者によるＮＣ工作機の復旧作業が完了し、対応者等が呼び出し解除ボタン２４２を押すことで、呼び出し者選定画面２４の表示が非表示となると共に、表示手段２０Ｂの呼び出し者の表示も非表示となる。
【００７８】
また、図６で示す特定手段１７Ｂによって複数の呼び出し者が特定された場合には、図１０ａで示す呼び出し者選定画面２４に代えて、図１１で示す呼び出し者選定画面２６を表示することもできる。図示する呼び出し者選定画面２６は、たとえば図６で示す演算手段１９Ｂの演算結果に基づいて、予め呼び出しボタン２６１にＮＣ工作機の復旧作業に対応可能な呼び出し者の組み合わせを表示するものである。この呼び出し者選定画面２６が表示され、管理者等によって呼び出し者選定画面２６の呼び出し者ボタン２６１が押されると、それに対応する呼び出し者の組み合わせの情報が表示手段２０Ｂの呼出の行２１５や呼出中の欄２１７に表示され、対応者はその表示内容に応じてＮＣ工作機の復旧作業に着手することができる。そして、対応者によるＮＣ工作機の復旧作業が完了し、対応者等が呼び出し解除ボタン２６２を押すことで、呼び出し者選定画面２６の表示が非表示となると共に、表示手段２０Ｂの呼び出し者の表示も非表示となる。
【００７９】
なお、本システムに対して電話回線と連携させたホットライン機能を付加し、図９〜図１１で示す呼び出し者選定画面２３，２４，２６に工作機メーカーの窓口者や担当者等を追加することで、ＮＣ工作機に異常が発生した場合には工作機メーカーの窓口者や担当者等との回線を接続し、必要に応じて担当者等を呼び出すこともできる。
【００８０】
次に、図１２を参照して、実施の形態３においてＮＣ工作機に個別に設置された表示手段４０Ｂ，４０Ｂ'，６０Ｂ，６０Ｂ'，…に表示される臨時呼び出しボタン（不図示）が押された際に、表示手段２０Ｂや表示手段４０Ｂ，４０Ｂ'，６０Ｂ，６０Ｂ'，…に図９〜図１１で示す呼び出し選定画面を表示する方法について説明する。
【００８１】
ここで、制御装置１０Ｂのデータ格納手段１２Ｂには、対応者データ、過去の故障や不具合等の異常内容に関する異常データ、仕事量データが予め格納されている。対応者データとしては、個人の技能レベルや勤務形態、勤務時間等のデータを挙げることができる。また、異常データとしては、ＮＣ工作機毎の故障や不具合の発生部位やその内容に関するデータ、過去の故障や不具合の解消に要した時間、過去の故障や不具合の解消に対応した対応者（作業者や管理者）のデータを挙げることができる。また、仕事量データとしては、たとえばΣ（対応時間×対応者の技能レベル×人数）等の算出方法によって算出された、過去の異常の解消に必要となった仕事量、責任者や管理者等の特定の対応者が必要となった事例に関するデータを挙げることができる。なお、責任者や管理者等の特定の対応者が必要となった事例には、制御装置１０Ｂのデータベースにおいてフラグを付与しておくことが好ましい。また、各ＮＣ工作機やＤＮＣ手段は、故障や不具合等の異常発生部位やその異常内容に応じた信号を制御装置１０Ｂに送信できるようになっている。
【００８２】
まず、制御装置１０Ｂは、各ＮＣ工作機やＤＮＣ手段から送信された信号に基づいて、臨時呼び出しボタンが押されたか否かを判定する（ＳＴＥＰ１２０）。ここで、臨時呼び出しボタンが押されていない場合には処理を終了し、表示手段２０Ｂや表示手段４０Ｂ，４０Ｂ'，６０Ｂ，６０Ｂ'，…に呼び出し者選択画面は表示されない。
【００８３】
臨時呼び出しボタンが押されていると制御装置１０Ｂが判定した（ＳＴＥＰ１２０）場合には、各ＮＣ工作機やＤＮＣ手段から送信される故障や不具合等の異常発生部位やその異常内容に応じた信号の有無を判定する（ＳＴＥＰ１２１）。仮に、その信号がないと判定した場合には、図１０ａで示す標準の呼び出し者選定画面２４（標準表示）を表示する（ＳＴＥＰ１２８）。
【００８４】
故障や不具合等の異常発生部位やその異常内容に応じた信号が有ると制御装置１０Ｂが判定した場合には、その受信した信号に基づいて、過去の異常内容に関する異常データから、受信した現在の異常内容に関する異常データと同一内容の異常データを検索する（ＳＴＥＰ１２２）。なお、ここで、検索される同一内容の異常データとは、たとえば異常データが異常部位や異常内容等のカテゴリー毎に分類されていて、そのカテゴリーが同一である異常データや、異常に対応した対応者が同一である異常データ等、様々な異常データの構成を含むことができる。仮に、制御装置１０Ｂが、過去の異常内容に関する異常データから同一内容の異常データを検索することができない場合には、ＳＴＥＰ１２１と同様に、図１０ａで示す標準の呼び出し者選定画面２４を表示する（ＳＴＥＰ１２８）。
【００８５】
制御装置１０Ｂが、過去の異常内容に関する異常データから同一内容の異常データを検索することができた（ＳＴＥＰ１２２）場合には、各ＮＣ工作機やＤＮＣ手段から受信した現在の異常内容に関する異常データの信号と、過去の異常内容に関する異常データと、過去の異常の解消に必要となった仕事量データから、現在の異常の解消に必要な仕事量を算出する（ＳＴＥＰ１２３）。
【００８６】
そして、制御装置１０Ｂは、その算出された仕事量と、過去の故障や不具合の解消に対応した対応者データ、さらに対応者データに含まれる現在の異常に対応可能な対応者データ、技能レベルや作業者等の残り勤務時間等のデータに基づいて、現在の異常の解消に対応すべき呼び出し者を特定する（ＳＴＥＰ１２４）。その際、複数の対応者による作業が適切であると判断する場合には、複数の対応者の組み合わせを選定することもできる。たとえば、「技能レベルが、Ａさん３０、Ｂさん２０、Ｃさん１０」、「算出された仕事量が９０」、「残り勤務時間が４．０ｈ（時間）」である場合には、「Ａさん×３．０ｈ」、「（Ａさん＋Ｂさん）×１．８ｈ」、「（Ａさん＋Ｃさん）×２．２５ｈ」、「（Ｂさん＋Ｂさん）×３．０ｈ」、「（Ａさん＋Ｂさん＋Ｃさん）×１．５ｈ」のような組み合わせが考えられ、そのうちの最適な組み合わせを、過去の故障や不具合の解消に対応した対応者データ等から選択することができる。なお、現在の異常内容が、制御装置１０Ｂのデータベースでフラグが付与されている特定の対応者が必要となった事例の場合には、そのフラグの有無を考慮して呼び出し者を特定することもできる。
【００８７】
次いで、制御装置１０Ｂは、選定された呼び出し者が単数かもしくは複数かを判定し（ＳＴＥＰ１２５）、呼び出し者が単数である場合には、図９で示す複数呼び出しボタンを備えていない呼び出し者選定画面２３（単数者表示）を表示する（ＳＴＥＰ１２６）。
【００８８】
一方で、選定された呼び出し者が単数かもしくは複数かを判定し（ＳＴＥＰ１２５）、呼び出し者が複数である場合には、再度単数でその異常に対応不可か否かを判定する（ＳＴＥＰ１２７）。仮にその異常に対し単数でも対応可能であると判定した場合には、図１０ａで示す単数および複数の対応者を呼び出すことができる標準の呼び出し者選択画面２４を表示する（ＳＴＥＰ１２８）。それにより、ＮＣ工作機の異常を確認した管理者等が、その異常内容や作業者の勤務形態等を考慮して最適な人数の呼び出し者を選定することができる。
【００８９】
制御装置１０Ｂが再度単数でその異常に対応不可か否かを判定した結果、やはり単数では対応不可であると判定した（ＳＴＥＰ１２７）場合には、図１１で示す複数の対応者の組み合わせを呼び出すことができる呼び出し者表示画面２６（複数者表示）を表示する（ＳＴＥＰ１２９）。なお、既述するように、図１１で示す呼び出し者選定画面２６に代えて、図１０ａで示す呼び出し者選択画面２４を表示し、複数の呼び出しが可能な複数呼び出しボタン２４１のみを選択可能に表示することもできる。
【００９０】
このような方法によって表示された呼び出し者選定画面の呼び出しボタンを管理者等が押すことで、その異常に対応する呼び出し者が表示手段２０Ｂの呼出の行２１５や呼出中の欄２１７に表示されることとなる。
【００９１】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００９２】
１０，１０Ａ，１０Ｂ…制御装置、１１，１１Ａ，１１Ｂ…ＰＯＰ手段、１２Ａ，１２Ｂ…データ格納手段、１３，１３Ａ，１３Ｂ…第１の判定手段、１４Ａ，１４Ｂ…遅れ検知手段、１５Ａ，１５Ｂ…第２の判定手段、１６Ｂ…異常検知手段、１７Ｂ…特定手段、１８Ｂ…検索手段、１９Ｂ…演算手段、２０，２０Ａ，２０Ｂ…表示手段、３２，３２Ａ，３２Ｂ…ＤＮＣ手段、１００，１００Ａ，１００Ｂ…加工管理用表示システム
【図１】
0005609600.tif 000002
【図２】
0005609600.tif 000003
【図３】
0005609600.tif 000004
【図４】
0005609600.tif 000005
【図５】
0005609600.tif 000006
【図６】
0005609600.tif 000007
【図７】
0005609600.tif 000008
【図８】
0005609600.tif 000009
【図９】
0005609600.tif 000010
【図１０】
0005609600.tif 000011
【図１１】
0005609600.tif 000012
【図１２】
0005609600.tif 000013